(57)【要約】【課題】ラック装置に装着されている各シリンジポンプ等の送液ポンプについて、それぞれ正しい投与方法を確実に実行することができる送液ポンプ管理システムを提供すること。【解決手段】送液ポンプ１００ａと、送液ポンプ装着部２０１ａを複数有する送液ポンプ用ラック装置２００と、管理装置３００と、を備え、送液ポンプは、第１薬剤種情報１２１に対応する対応投与実行工程情報１２１とを記憶し、送液ポンプ用ラック装置又は管理装置は、各送液ポンプ装着部に対応させた第２薬剤種情報３０７を有し、送液ポンプ装着部の送液ポンプの第１薬剤情報と、対応する第２薬剤種情報とを比較し、第２薬剤種情報と一致しない第１薬剤種情報に対応する対応投与実行情報に従い薬剤の投与を実行することを制限する送液ポンプ管理システム１。【選択図】  図１
2016157655.tif 000002
【特許請求の範囲】
【請求項１】
薬剤を対象者に投与する送液ポンプと、
前記送液ポンプを配置可能な送液ポンプ装着部を複数有する送液ポンプ用ラック装置と、
前記送液ポンプ用ラック装置と通信可能に接続されている管理装置と、を備える送液ポンプ管理システムであって、
前記送液ポンプは、薬剤の種類情報である第１薬剤種情報と該第１薬剤情報に対応する少なくとも１つの投与方法に関する情報である対応投与実行工程情報とを記憶する記憶部を有し、
前記送液ポンプ用ラック装置又は前記管理装置は、各前記送液ポンプ装着部に対応させた薬剤の種類情報である第２薬剤種情報を有し、
前記送液ポンプ装着部に装着される送液ポンプの前記第１薬剤情報と、該送液ポンプが装着される前記送液ポンプ装着部に対応する前記第２薬剤種情報とを比較し、前記第２薬剤種情報と一致しない前記第１薬剤種情報に対応する前記対応投与実行情報に従い前記薬剤の投与を実行することを、制限することを特徴とする送液ポンプ管理システム。
【請求項２】
前記送液ポンプが有する前記対応投与実行工程情報が第１対応投与実行工程情報であり、
前記送液ポンプ用ラック装置又は前記管理装置は、各前記送液ポンプ装着部に対応させた投与方法に関する情報である第２対応投与実行工程情報を有し、
前記送液ポンプ装着部に装着される送液ポンプの前記第１対応投与実行工程情報と、該送液ポンプが装着される前記送液ポンプ装着部に対応する前記第２対応投与実行工程情報とを比較し、前記第２対応投与実行工程情報と一致しない前記第１対応投与実行情報に従い前記薬剤の投与を実行することを、制限することを特徴とする請求項１に記載の送液ポンプ管理システム。
【請求項３】
前記第１薬剤種情報が、前記第２薬剤種情報と一致しないと判断したときは、その旨を出力する構成となっていることを特徴とする請求項１又は請求項２に記載の送液ポンプ管理システム。
【請求項４】
前記対応投与実行工程の実行に必要な当該対象者の生体情報を前記送液ポンプに提供する構成となっていることを特徴とする請求項１乃至請求項３のいずれか１項に記載の送液ポンプ管理システム。
【請求項５】
前記薬剤が、麻酔薬関連薬剤であることを特徴とする請求項１乃至請求項４のいずれか１項に記載の送液ポンプ管理システム。
【請求項６】
薬剤を対象者に投与する送液ポンプと、
前記送液ポンプを配置可能な送液ポンプ装着部を複数有する送液ポンプ用ラック装置と、
前記送液ポンプ用ラック装置と通信可能に接続されている管理装置と、を備える送液ポンプ管理システムであって、
前記送液ポンプは、投与方法に関する情報である第１対応投与実行工程情報を記憶する記憶部を有し、
前記送液ポンプ用ラック装置又は前記管理装置は、各前記送液ポンプ装着部に対応させた投与方法に関する情報である第２対応投与実行工程情報を有し、
前記送液ポンプ装着部に装着される送液ポンプの前記第１対応投与実行工程情報と、該送液ポンプが装着される前記送液ポンプ装着部に対応する前記第２対応投与実行工程情報とを比較し、前記第２対応投与実行工程情報と一致しない前記第１対応投与実行情報に従い前記薬剤の投与を実行することを、制限することを特徴とする送液ポンプ管理システム。
【発明の詳細な説明】
【技術分野】
【０００１】
本発明は、送液ポンプである例えば、シリンジポンプ等を複数使用して患者に薬剤を投与する場合に用いられる送液ポンプ管理システムに関するものである。
【背景技術】
【０００２】
従来から患者に複数種類の薬剤を投与する場合は、複数の輸液ポンプ（シリンジポンプ）を配置することができるラック装置を使用している（例えば、特許文献１）。
【先行技術文献】
【特許文献】
【０００３】
【特許文献１】国際公開ＷＯ２０１４／０３３７７９号公報
【発明の概要】
【発明が解決しようとする課題】
【０００４】
しかしながら、ラック装置に装着されている各シリンジポンプ等に配置されている薬剤の種類が相違し、それぞれの薬剤の投与方法が異なる場合がある。
このような場合、同時にラック装置に配置されている各シリンジポンプ内の薬剤を当該薬剤で定められている投与方法で患者に投与せねばならず、誤って、異なる投与方法を行うと薬剤によっては重篤な事態を招来するおそれがある。【０００５】
そこで、本発明は、ラック装置に装着されている各シリンジポンプ等の送液ポンプについて、それぞれ正しい投与方法を確実に実行することができる送液ポンプ管理システムを提供することを目的とする。
【課題を解決するための手段】
【０００６】
上記目的は、本発明にあっては、薬剤を対象者に投与する送液ポンプと、前記送液ポンプを配置可能な送液ポンプ装着部を複数有する送液ポンプ用ラック装置と、前記送液ポンプ用ラック装置と通信可能に接続されている管理装置と、を備える送液ポンプ管理システムであって、前記送液ポンプは、薬剤の種類情報である第１薬剤種情報と該第１薬剤情報に対応する少なくとも１つの投与方法に関する情報である対応投与実行工程情報とを記憶する記憶部を有し、前記送液ポンプ用ラック装置又は前記管理装置は、各前記送液ポンプ装着部に対応させた薬剤の種類情報である第２薬剤種情報を有し、前記送液ポンプ装着部に装着される送液ポンプの前記第１薬剤情報と、該送液ポンプが装着される前記送液ポンプ装着部に対応する前記第２薬剤種情報とを比較し、前記第２薬剤種情報と一致しない前記第１薬剤種情報に対応する前記対応投与実行情報に従い前記薬剤の投与を実行することを、制限することを特徴とする送液ポンプ管理システムにより達成される。【０００７】
前記構成によれば、送液ポンプ装着部に装着される送液ポンプの第１薬剤情報（例えば、シリンジポンプ側基本情報記憶部の薬剤名等）と、送液ポンプが装着される送液ポンプ装着部に対応する第２薬剤種情報（例えば、病院管理サーバのラック装着薬剤情報記憶部の薬剤情報）とを比較し、第２薬剤種情報と一致しない第１薬剤種情報に対応する対応投与実行情報（例えば、Ｍａｒｓｈモデル等の実行モデル）に従い投与を実行することを制限する構成となっている。
このため、誤って、看護師等の医療従事者が、当該送液ポンプ配置部に配置すべき送液ポンプを誤って配置しても、その投与の実行が制限されるので、看護師等に報知されるので、薬剤の投与方法を誤ることがない。
また、送液ポンプは、薬剤の種類情報である第１薬剤種情報に対応する少なくとも１つの投与方法に関する情報である第１対応投与実行工程情報（例えば、Ｍａｒｓｈモデル等）を記憶するので、薬剤の投与は自動的、かつ間違いなく実行される。【０００８】
好ましくは、前記送液ポンプが有する前記対応投与実行工程情報が第１対応投与実行工程情報であり、前記送液ポンプ用ラック装置又は前記管理装置は、各前記送液ポンプ装着部に対応させた投与方法に関する情報である第２対応投与実行工程情報を有し、前記送液ポンプ装着部に装着される送液ポンプの前記第１対応投与実行工程情報と、該送液ポンプが装着される前記送液ポンプ装着部に対応する前記第２対応投与実行工程情報とを比較し、前記第２対応投与実行工程情報と一致しない前記第１対応投与実行情報に従い前記薬剤の投与を実行することを、制限することを特徴とする。【０００９】
前記構成によれば、送液ポンプ装着部に配置された送液ポンプの第１対応投与実行工程情報が、第２対応投与実行工程情報（例えば、Ｍａｒｓｈモデル等）に一致しないときは制限されるので、薬剤の投与は自動的、かつ間違いなく実行される。【００１０】
好ましくは、前記第１薬剤種情報が、前記第２薬剤種情報と一致しないと判断したときは、その旨を出力する構成となっていることを特徴とする。【００１１】
前記構成によれば、前記第１薬剤種情報が、前記第２薬剤種情報と一致しないと判断したときは、その旨を出力するため、誤って、看護師等の医療従事者が、当該送液ポンプ配置部に配置すべき送液ポンプを誤って配置しても、直ちに、その旨が看護師等に報知されるので、薬剤の投与方法を誤ることがない。
したがって、ラック装置に装着されている各送液ポンプについて、それぞれ正しい投与方法を確実に実行することができる。【００１２】
好ましくは、前記対応投与実行工程の実行に必要な当該対象者の生体情報を前記送液ポンプに提供する構成となっていることを特徴とする。【００１３】
前記構成によれば、対応投与実行工程の実行に必要な当該対象者の生体情報を送液ポンプに提供する構成となっているので、送液ポンプでかかる生体情報をその都度、看護師等が入力する必要がなく、労力等を省くことができると共に、誤入力等の発生も未然に防止することができる。【００１４】
前記薬剤が、麻酔薬関連薬剤であることを特徴とする。【００１５】
前記構成によれば、薬剤が、麻酔薬関連薬剤である。麻酔薬は、種類毎の投与方法を誤ると、極めて重篤な事態の発生となるので、本発明では、かかる重篤な危険の発生を確実に防止することができる。【００１６】
上記目的は、本発明にあっては、薬剤を対象者に投与する送液ポンプと、前記送液ポンプを配置可能な送液ポンプ装着部を複数有する送液ポンプ用ラック装置と、前記送液ポンプ用ラック装置と通信可能に接続されている管理装置と、を備える送液ポンプ管理システムであって、前記送液ポンプは、投与方法に関する情報である第１対応投与実行工程情報を記憶する記憶部を有し、前記送液ポンプ用ラック装置又は前記管理装置は、各前記送液ポンプ装着部に対応させた投与方法に関する情報である第２対応投与実行工程情報を有し、前記送液ポンプ装着部に装着される送液ポンプの前記第１対応投与実行工程情報と、該送液ポンプが装着される前記送液ポンプ装着部に対応する前記第２対応投与実行工程情報とを比較し、前記第２対応投与実行工程情報と一致しない前記第１対応投与実行情報に従い前記薬剤の投与を実行することを、制限することを特徴とする送液ポンプ管理システムにより達成される。
【発明の効果】
【００１７】
以上説明したように、本発明によれば、ラック装置に装着されている各シリンジポンプ等の送液ポンプについて、それぞれ正しい投与方法を確実に実行することができる送液ポンプ管理システムを提供することができる。
【図面の簡単な説明】
【００１８】
【図１】本発明の実施の形態にかかる送液ポンプ管理システムである例えば、医療用ポンプシステムを示す概略図である。
【図２】図１のラック装置の主な構成を示す概略斜視図である。
【図３】図１に示すシリンジポンプの主な構成を示す概略図である。
【図４】図１及び図３のシリンジポンプの主な構成を示す概略ブロック図である。
【図５】図４の第１のシリンジポンプ側各種情報記憶部の主な構成を示す概略ブロック図である。
【図６】図４の第２のシリンジポンプ側各種情報記憶部の主な構成を示す概略ブロック図である。
【図７】図１及び図２に示すラック装置の主な構成を示す概略ブロック図である。
【図８】ラック側各種情報記憶部の主な構成を示す概略ブロック図である。
【図９】病院管理サーバの主な構成を示す概略ブロック図である。
【図１０】図９のラック装着薬剤記憶部の主な構成を示す概略図である。
【図１１】本実施の形態にかかる医療用ポンプシステムの主な動作例等を示す概略フローチャートである。
【図１２】本実施の形態にかかる医療用ポンプシステムの主な動作例等を示す他の概略フローチャートである。
【図１３】本実施の形態にかかる医療用ポンプシステムの主な動作例等を示す他の概略フローチャートである。
【図１４】本実施の形態にかかる医療用ポンプシステムの主な動作例等を示す他の概略フローチャートである。
【図１５】本実施の形態にかかる医療用ポンプシステムの主な動作例等を示す他の概略フローチャートである。
【図１６】本実施の形態にかかる医療用ポンプシステムの主な動作例等を示す他の概略フローチャートである。
【図１７】本実施の形態にかかる医療用ポンプシステムの主な動作例等を示す他の概略フローチャートである。
【図１８】本実施の形態にかかる医療用ポンプシステムの主な動作例等を示す他の概略フローチャートである。
【図１９】シミュレーションに基づき薬剤が送液されている状態を示すグラフであり、（ａ）は、送液開始直後の状態であり、（ｂ）は、特定の効果部位濃度ｄ１が目標に達した状態を示し、（ｃ）は、特定の効果部位濃度ｄ１が、目標濃度に達した後の状態である。
【発明を実施するための形態】
【００１９】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明の実施の形態にかかる送液ポンプ管理システムである例えば、医療用ポンプシステム１を示す概略図である。
図１に示すように、医療用ポンプシステム１は、複数、例えば、３台の送液ポンプである例えば、シリンジポンプ１００ａ、シリンジポンプ１００ｂ及びシリンジポンプ１００ｃを有している。
このシリンジポンプ１００ａ等は、送液ポンプ用ラック装置である例えば、ラック装置２００に装着される構成となっている。
【００２１】
図２は、図１のラック装置２００の主な構成を示す概略斜視図である。
図１及び図２に示すように、ラック装置２００は、シリンジポンプ１００ａ、１００ｂ１００ｃをそれぞれ装着可能な送液ポンプ装着部である例えば、上段装着部２０１ａ、中段装着部２０１ｂ、下段装着部２０１ｃを有している。
【００２２】
また、図２に示すように、上段装着部２０１ａ、中段装着部２０１ｂ、下段装着部２０１ｃには、それぞれ、上部装着部用端子２０３ａ、中部装着部用端子２０３ｂ、下部装着部用端子２０３ｃが配置され、これらが図１に示すように装着されるシリンジポンプ１００ａ、１００ｂ、１００ｃと接続されることで、相互に通信が可能な状態となるように構成されている。
具体的には、後述するシリンジポンプ１００ａ等に配置されているラック接続用端子１０１と上部装着部用端子２０３ａ等が接続されることで、赤外線通信等で、相互に通信可能な構成となっている。
【００２３】
また、図１及び図２に示すように、ラック装置２００は、通信ボックス２０２を有し、病院内に配置される管理装置である例えば、病院管理サーバ３００と通信可能に接続されている。
【００２４】
図３は、図１に示すシリンジポンプ１００ａ等の主な構成を示す概略図である。シリンジポンプ１００ｂ及び１００ｃは、シリンジポンプ１００ａと同様の構成であるため説明を省略する。
図３に示すように、シリンジポンプ１００ａは、薬剤である例えば、薬液を充填したシリンジ１０８を有し、シリンジ押子１０２が図３の矢印Ｔ方向に移動することでシリンジ１０８内の薬液を押圧して、チューブ１０３と留置針１０４を介して、対象者である例えば、患者に正確に送液する構成となっている。
【００２５】
また、図３に示すように、シリンジポンプ１００ａは、シリンジポンプ側表示部１０５を有すると共に、図面における右側に操作パネル部１０６を有している。
操作パネル部１０６には、電源ＯＮ／ＯＦＦボタン１０６ａ、動作インジケータ１０６ｂ、早送りスイッチボタン１０６ｃ、開始スイッチボタン１０６ｄ、停止スイッチボタン１０６ｅ、及びメニュー選択ボタン１０６ｆ等が配置されている。
【００２６】
図１に示すラック装置２００、シリンジポンプ１００ａ等及び病院管理サーバ３００等は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２７】
図４は、図１及び図３のシリンジポンプ１００ａの主な構成を示す概略ブロック図である。
図４に示すように、シリンジポンプ１００ａは「シリンジポンプ制御部１０」を有し、シリンジポンプ制御部１１０は、シリンジポンプ全体の判断・制御を行うもので、上述のシリンジポンプ側表示部１０５、操作パネル部１０６及びラック接続用端子１０１等を制御する他、「第１のシリンジポンプ側各種情報記憶部１２０」及び「第２のシリンジポンプ側各種情報記憶部１３０」も制御する構成となっている。
図５は、図４の第１のシリンジポンプ側各種情報記憶部１２０の主な構成を示す概略ブロック図であり、図６は図４の第２のシリンジポンプ側各種情報記憶部１３０の主な構成を示す概略ブロック図である。図５及び図６の各ブロックの内容については、後述する。
【００２８】
図７は、図１及び図２に示すラック装置２００の主な構成を示す概略ブロック図である。図７に示すように、ラック装置２００は「ラック制御部２１０」を有し、ラック制御部２１０は、通信ボックス２０２に配置されている、図１の病院管理サーバ３００及びシリンジポンプ１００ａ等と通信するための「ラック側通信装置２０４」、各種情報を表示する「ラック側表示部２０５」及び各種情報を入力するキーボード等「ラック側各種情報入力部２０６」等を制御している。
【００２９】
また、ラック制御部２１０は上述の上部装着用端子２０３ａ、中部装着用端子２０３ｂ、下部装着用端子２０３ｃ等も制御する。さらに、ラック制御部２１０は、図６の「ラック側各種情報記憶部２２０」も制御する。
【００３０】
図８は、ラック側各種情報記憶部２２０の主な構成を示す概略ブロック図である。これらの内容の説明は後述する。
【００３１】
図９は病院管理サーバ３００の主な構成を示す概略ブロック図である。
図９に示すように、病院管理サーバ３００は、「サーバ制御部３０１」を有し、サーバ制御部３０１は、図１のラック装置２００等と通信するための「サーバ側通信装置３０２」、各種情報を表示するための「サーバ側表示装置３０３」及び各種情報を入力するキーボード等の「サーバ側各種情報入力装置３０４」等を制御する他、図１０に示す「電子カルテデータベース３０５」や「職員データベース３０６」も制御する。
また、サーバ制御部３０１は、「ラック装着薬剤記憶部３０７」、「入力職員情報記憶部３０８」及び「職員情報確認部（プログラム）３０９」も制御するが、これらの内容については後述する。
図１０は、図９のラック装着薬剤記憶部３０７の主な構成を示す概略図である。
【００３２】
図１１乃至図１８は、本実施の形態にかかる医療用ポンプシステム１の主な動作例等を示す概略フローチャートである。
以下、フローチャートに沿って、各動作等を説明すると共に、図１乃至図１０等の構成も併せて説明する。
【００３３】
本実施の形態の薬剤（薬液）は、例えば、麻酔薬であり、薬液としては麻酔薬関連薬液である例えば、「鎮静薬」、「鎮痛薬」及び「筋弛緩薬」をそれぞれ、異なるシリンジポンプ１００ａ等から患者に静脈を介して投与する。
このとき、鎮静薬や鎮痛薬の投与量は厳格に定められており、この量を間違うと危険なため、慎重に管理される。
【００３４】
従来は、これらの薬剤の投与量の調整は、薬剤の血中濃度をリアルタイムでモニターし、その結果に基づいて投与量を調節しつつ、一定の薬物血液濃度を維持し、それにより一定の薬効を期待していた。
しかし、実際の臨床で薬物濃度をリアルタイムでモニターすることは困難であるため「ＴＣＩ（ｔａｇｅｔ  ｃｏｎｔｒｏｌｌｅｄ  ｉｎｆｕｓｉｏｎ）」「目標制御注入法」が近年、用いられている。
【００３５】
このＴＣＩは、薬物動態モデルを用いてシリンジポンプ１００ａ等の投与速度を調節し、望んだ値に薬物をコントロールする方法である。すなわち、ＴＣＩでは、薬物動態をコンピュータを用いてシミュレーションし、予測血中濃度を算出し、その結果に基づいて薬物投与量を調節する方法である。
【００３６】
このシミュレーションは、例えば、薬物動態学に基づいて３ーコンパートメントモデルを用いて行われる。
３−コンパートモデルを用いたシミュレーションは、体内を３つの部分（以下、「コンパートメント」という。）に分けて濃度の計算を行う。３つのコンパートメントの１つは、血液をモデル化したコンパートメントである。
また、他の２つのコンパートメントは、生体内における筋肉などの血流が豊富な組織と脂肪などの血流が粗な組織をそれぞれモデル化したものである。
【００３７】
薬剤は、血液をモデル化したコンパートメントに投与される。そして、血液をモデル化したコンパートメントと、他の２つのコンパートメントとの間で、薬剤が所定の移行速度で移動する。
また、薬剤は、血液をモデル化したコンパートメントを介して所定の排泄速度で体外に排泄される。
したがって、薬剤が送液される患者の情報（性別、年齢、身長、体重等）と、送液された薬剤の量、コンパートメントへの移行速度、及び、排泄速度等の関係から、血中濃度を含む各コンパートメントにおける送液された薬剤の濃度を計算することができる。
【００３８】
このように、コンパートメントに、薬剤が適用される部位をモデル化したコンパートメントを含めることで、薬剤が適用される部位の濃度である効果部位濃度を演算することができる。
例えば、効果部位として鎮静薬（例えば、「プロポフォール」）や鎮痛薬（例えば、「フェンタニル」）の場合は「脳」、筋弛緩薬（例えば、「ロクロニウム」）の場合は、神経筋接合部が考えられる。送液量は、このように計算された薬剤の血中濃度または効果部位濃度と設定された目標濃度との差分に基づいて計算される。
【００３９】
この３−コンパートメントモデルには、その式等の相違から複数の種類があり、例えば、鎮静薬の「プロポフォール」では「Ｍａｒｓｈモデル」「Ｍｏｄｉｆｉｅｄ  Ｍａｒｓｈモデル」がある。一方、鎮痛薬の「フェンタニル」では、「Ｓｈａｆｅｒモデル」等がある。
【００４０】
本実施の形態では、患者Ｐに麻酔をかけるとき、鎮静薬として「プロポフォール」、鎮痛薬として「フェンタニル」、そして、筋弛緩薬として「ロクロニウム」を用いる例で以下、説明する。
また、「プロポフォール」は「Ｍａｒｓｈモデル」で投与され、「フェンタニル」は「Ｓｈａｆｅｒモデル」で投与される例で説明する。
したがって、「Ｍａｒｓｈモデル」や「Ｓｈａｆｅｒモデル」は、対応投与実行工程情報の一例となっている。
【００４１】
これらの「プロポフォール」、「フェンタニル」そして、「ロクロニウム」の各薬剤は、それぞれ別のシリンジポンプ１００ａ等に配置され、患者に投与される。
これら「プロポフォール」、「フェンタニル」そして、「ロクロニウム」の各薬剤が薬剤種情報の一例となっている。
具体的には、図１のラック装置２００の上段装着部２０１ａには、「プロポフォール」、中段装着部２０１ｂには、「フェンタニル」、そして、下段装着部２０１ｃには、「ロクロニウム」が配置されると予め定められている。
【００４２】
一方、シリンジポンプ１００ａ等には、これら「プロポフォール」、「フェンタニル」又は「ロクロニウム」のいずれかの薬剤が配置される可能性があるため、各シリンジポンプ１００ａ等には、それぞれ、「プロポフォール」を配置したときに適用される複数のモデル「Ｍａｒｓｈモデル」「Ｍｏｄｉｆｉｅｄ  Ｍａｒｓｈモデル」「Ｓｃｈｎｅｉｄｅｒモデル」の計算式等のソフトウエア（プログラム）が格納されていると共に、「フェンタニル」が配置されたときに適用されるモデル「Ｓｈａｆｅｒモデル」の計算式等も記憶されている。
【００４３】
以上のような前提で、以下、具体的に実施形態を説明する。
先ず、図１１のＳｔｅｐ（以下「ＳＴ」とする。）１では、麻酔科医が、図９の「病院管理サーバ２００」の「サーバ側表示装置３０３」等を介して、病院内で使用する図２に示す、各ラック装置２００等について、各別に上段装着部２０１ａ等、中段装着部２０１ｂ等、下段装着部２０１ｃ等に装着すべき「薬剤名（例えば、プロポフォール等）」とその「実行モデル情報（例えば、Ｍａｒｓｈモデル）」を入力する。
具体的には、図１０の「ラック装着薬剤情報記憶部３０７」に記憶する。
このラック装着薬剤情報記憶部３０７」に記憶される「実行モデル情報（例えば、Ｍａｒｓｈモデル）」が、第２対応投与実行工程情報の一例となる。
【００４４】
例えば、図１０の「ラック装着薬剤情報記憶部３０７」の「ラック番号００１」のラック装置２００の上段装着部２０１ａには、薬剤「プロポフォール」、実行モデル「Ｍａｒｓｈモデル」、中段装着部２０１ｂには、薬剤「フェンタニル」、実行モデル「ｓｈａｆｅｒモデル」、下段装着部２０１ｃには薬剤「ロクロニウム」、実行モデル「ロクロニウム投与モデル」と記憶する。
したがって、「ラック装着薬剤情報記憶部３０７」の薬剤が、第２薬剤種情報の一例となっている。
【００４５】
以上で、麻酔科医等の権限のある担当者のラック装置２００の上段装着部２０１ａ等の「薬剤」及び「実行モデル」の入力工程が終了する。
このように、本実施の形態では、各ラック装置２００の上段装着部２０１ａ、中段装着部２０１ｂ、下段装着部２０１ｃに装着すべき薬剤及び実行モデルが権限ある麻酔科医等の担当者により設定されるので、誤った情報が設定される事態の発生を未然に予防することができる。
【００４６】
次いで、医療従事者である例えば、看護師又は医師が患者Ｐに麻酔薬を投与する準備を行う。
先ず、図１２のＳＴ１１で、看護師が図３及び図４のシリンジポンプ１００ａ等をラック装置２００の上段装着部２０１ａ等に装着する。
また、各シリンジポンプ１００ａ、１００ｂ、１００ｃには、「患者情報」が記憶されており、具体的には、図５の「シリンジポンプ側基本情報記憶部１２１」の「患者情報」として記憶される。
【００４７】
次いで、ＳＴ１２で、看護師は、シリンジポンプ１００ａ、１００ｂ、１００ｃを図１及び図２のラック装置２００に装着する。このとき、上段装着部２０１ａに「プロポフォール」が挿入されているシリンジポンプ１００ａ、中段装着部２０１ｂに「フェンタニルが挿入されているシリンジポンプ１００ｂ、そして、下段装着部２０１ｃに「ロクロニウム」が挿入されているシリンジポンプ１００ｃを装着する手順となっている。
しかし、相違が生じる可能性もあるので、本実施の形態では、以下の工程でかかる相違の発生を未然に防止する。
【００４８】
先ず、ＳＴ１２では、図８の「ポンプ装着部分判断部（プログラム）２２１」が動作し、上段装着部２０１ａ、中段装着部２０１ｂ又は下段装着部２０１ｃのいずれかにシリンジポンプ１００ａ等が接続されたか否かを判断する。
具体的には、図４のシリンジポンプ１００ａ等のラック接続用端子１０１が、図２及び図７の上部装着部用端子２０３ａ、中部装着部用端子２０３ｂ又は下部装着部用端子２０３ｃのいずれかに装着されたか否かを判断する。
【００４９】
次いで、ＳＴ１３へ進み、例えば、シリンジポンプ１００ａ等が上部装着部２０１ａに装着されたと判断すると、ＳＴ１４へ進む。
ＳＴ１４では、図８のラック装置２００の「ラック側薬剤等特定部（プログラム）２２２」が動作し、病院管理サーバ３００の図１０の「ラック装着薬剤情報記憶部３０７」の当該ラック装置のラック番号（例えば、ラック番号００１）の「上段装着部２０１ａ」の「薬剤（例えば、プロポフォール）」及び「実行モデル（例えば、Ｍａｒｓｈモデル）」の情報を取得し、シリンジポンプ１００ａ等に送信する。
【００５０】
次いで、ＳＴ１５へ進む。ＳＴ１５では、シリンジポンプ１００ａ等が、ラック装置２００から受信した「上段装着部２０１ａ」等の「薬剤（例えば、プロポフィール）」及び「実行モデル（例えば、Ｍａｒｓｈモデル）」の情報を図５の「シリンジポンプ側取得薬剤情報等記憶部１２２」に記憶する。
【００５１】
次いで、ＳＴ１６へ進む。ＳＴ１６では、シリンジポンプ１００ａの図５の「対応薬剤等判断部（プログラム）１２３」が動作し、「シリンジポンプ側取得薬剤情報等記憶部１２２」と「シリンジポンプ側基本情報記憶部１２１」を参照する。
「シリンジポンプ側基本情報記憶部１２１」には、当該シリンジポンプ１００ａ等が投与可能な「薬剤（例えば、プロポフォール）」と、実行可能な「実行モデル（Ｍａｒｓｈモデル）」が図５に示すように予め記憶されている。
したがって、「シリンジポンプ側基本情報記憶部１２１」の薬剤等は、第１薬剤種情報の一例となっている。
ところで、ＳＴ１６では、「シリンジポンプ側取得薬剤情報等記憶部１２２」の「薬剤」及び「実行モデル」情報が「シリンジポンプ側基本情報記憶部１２１」に存在するか否かを判断する。
【００５２】
ＳＴ１６で「存在しない」と判断されたときは、看護師等がシリンジポンプ１００ａ等を間違った段に装着等したと判断し、ＳＴ１７へ進む。
ＳＴ１７では、図４の「シリンジポンプ側表示部１０５」に薬剤（麻酔薬）の「実行選択」できない旨の警告を表示する。例えば、「次のステップへ進めません。」「実行選択できる薬剤がありません。」等の表示を行い、次に「取り消しますか？」等の表示を行う。
したがって、看護師等が誤った薬剤を投与等するのを未然に防止することができる。
また、上述のように原則として、各シリンジポンプ１００ａ等は、薬剤に対応する複数の実行モデルを予め記憶され、どの実行モデルも実行可能な状態となっているが、場合によって、所定の実行モデルの一部を記憶していないシリンジポンプ１００ａ等の存在も考えられる。
そこで、本実施の形態では、かかる欠陥を有するシリンジポンプ１００ａ等の不動作等の発生を未然に防ぎ、麻酔薬の投与の誤り等の発生を未然に防止することができる構成となっている。
【００５３】
一方、ＳＴ１６で、「存在する」ときは、ＳＴ１８へ進む。ＳＴ１８では、図５の「シリンジポンプ側基本情報記憶部１２１」の対応薬剤の「選択薬剤」と、「実行モデル」の「実行選択」にフラグを立てる。
例えば、「シリンジポンプ側取得薬剤情報等記憶部１２２」の薬剤「プロポフォール」及び実行モデル「Ｍａｒｓｈモデル」が存在するときは、薬剤「プロポフォール」を「選択薬剤」とし、実行モデル「Ｍａｒｓｈモデル」を「実行選択」として登録する。
【００５４】
したがって、これにより、上段装着部２０１ａに装着された「シリンジポンプ１００ａ等」の「薬剤」と「実行モデル」は、例えば、「プロポフォール」と「Ｍａｒｓｈモデル」であることが明確に記憶される。
【００５５】
次いで、ＳＴ１９へ進む。ＳＴ１９では、図８の「ポンプ装着部分判断部（プログラム）２２１」が動作し、中段装着部２０１ｂ，または下段装着部２０１ｃのいずれかにシリンジポンプ１００ａ等が装着されたか否かを判断し、ＳＴ２０で「中段装着部２０１ｂ」に装着されたと判断されると、ＳＴ２１へ進む。
【００５６】
ＳＴ２１では、図８のラック２００の「ラック側薬剤等特定部（プログラム）２２２」が動作し、病院管理サーバ３００の図１０の「ラック装着薬剤情報記憶部３０７」の当該ラック装置２００のラック番号（例えば、ラック番号００１）の「中段装着部２０１ｂ」の「薬剤（例えば、フェンタニル）」及び「実行モデル（例えば、Ｓｈａｆｅｒモデル）」の情報を取得し、シリンジポンプ１００ｂ等に送信する。
【００５７】
次いで、ＳＴ２２へ進む。ＳＴ２２では、シリンジポンプ１００ｂ等が、ラック装置２００から受信した「中段段装着部２０１ｂ」等の「薬剤（例えば、フェンタニル）」及び「実行モデル（例えば、Ｓｈａｆｅｒモデル）」の情報を図５の「シリンジポンプ側取得薬剤情報等記憶部１２２」に記憶する。
【００５８】
次いで、ＳＴ２３へ進む。ＳＴ２３では、シリンジポンプ１００ｂの図５の「対応薬剤等判断部（プログラム）１２３」が動作し、「シリンジポンプ側取得薬剤情報等記憶部１２２」と「シリンジポンプ側基本情報記憶部１２１」を参照する。
「シリンジポンプ側基本情報記憶部１２１」には、当該シリンジポンプ１００ｂ等が投与可能な「薬剤（例えば、フェンタニル）」と、実行可能な「実行モデル（Ｓｈａｆｅｒモデル）」が図５に示すように予め記憶されている。
ところで、ＳＴ２３では、「シリンジポンプ側取得薬剤情報等記憶部１２２」の「薬剤」及び「実行モデル」情報が「シリンジポンプ側基本情報記憶部１２１」に存在するか否かを判断する。
【００５９】
ＳＴ２３で「存在しない」と判断されたときは、看護師等がシリンジポンプ１００ｂ等を間違った段に装着等したと判断し、ＳＴ２４へ進む。
ＳＴ２４では、図４の「シリンジポンプ側表示部１０５」に薬剤（麻酔薬）の「実行選択」できない旨の警告を表示する。例えば、「次のステップへ進めません。」「実行選択できる薬剤がありません。」等の表示を行い、次に「取り消しますか？」等の表示を行う。
したがって、中段装着部２０１ｂでも上段装着部２０１ａと同様に、シリンジポンプ１００ｂ等の不動作等の発生を未然に防ぎ、麻酔薬の投与の誤り等の発生を未然に防止することができる構成となっている。
【００６０】
一方、ＳＴ２３で、「存在する」ときは、ＳＴ２５へ進む。ＳＴ２５では、図５の「シリンジポンプ側基本情報記憶部１２１」の対応薬剤の「選択薬剤」と、「実行モデル」の「実行選択」にフラグを立てる。
例えば、「シリンジポンプ側取得薬剤情報等記憶部１２２」の薬剤「フェンタニル」及び実行モデル「Ｓｈａｆｅｒモデル」が存在するときは、薬剤「フェンタニル」を「選択薬剤」とし、実行モデル「Ｓｈａｆｅｒモデル」を「実行選択」として登録する。
【００６１】
したがって、これにより、中段装着部２０１ｂに装着された「シリンジポンプ１００ｂ等」の「薬剤」と「実行モデル」は、例えば、「フェンタニル」と「Ｓｈａｆｅｒモデル」であることが明確に記憶される。
【００６２】
次いで、ＳＴ２６へ進む。ＳＴ２６では、図８の「ポンプ装着部分判断部（プログラム）２２１」が動作し、下段装着部２０１ｃにシリンジポンプ１００ｃ等が装着されたか否かを判断し、装着されたと判断されると、ＳＴ２７へ進む。
【００６３】
ＳＴ２７では、図８のラック２００の「ラック側薬剤等特定部（プログラム）２２２」が動作し、病院管理サーバ３００の図１０の「ラック装着薬剤情報記憶部３０７」の当該ラック装置２００のラック番号（例えば、ラック番号００１）の「下段装着部２０１ｃ」の「薬剤（例えば、ロクロニウム）」及び「実行モデル（例えば、ロクロニウム投与モデル）」の情報を取得し、シリンジポンプ１００ｃ等に送信する。
【００６４】
次いで、ＳＴ２８へ進む。ＳＴ２８では、シリンジポンプ１００ｃ等が、ラック装置２００から受信した「下段段装着部２０１ｃ」等の「薬剤（例えば、ロクロニウム）」及び「実行モデル（例えば、ロクロニウム投与モデル）」の情報を図５の「シリンジポンプ側取得薬剤情報等記憶部１２２」記憶する。
【００６５】
次いで、ＳＴ２９へ進む。ＳＴ２９では、シリンジポンプ１００ｃの図５の「対応薬剤等判断部（プログラム）１２３」が動作し、「シリンジポンプ側取得薬剤情報等記憶部１２２」と「シリンジポンプ側基本情報記憶部１２１」を参照する。
「シリンジポンプ側基本情報記憶部１２１」には、当該シリンジポンプ１００ｃ等が投与可能な「薬剤（例えば、ロクロニウム）」と、実行可能な「実行モデル（ロクロニウム投与モデル）」が図５に示すように予め記憶されている。
ところで、ＳＴ２９では、「シリンジポンプ側取得薬剤情報等記憶部１２２」の「薬剤」及び「実行モデル」情報が「シリンジポンプ側基本情報記憶部１２１」に存在するか否かを判断する。
【００６６】
ＳＴ２９で「存在しない」と判断されたときは、看護師等がシリンジポンプ１００ｃ等を間違った段に装着等したと判断し、ＳＴ３０へ進む。
ＳＴ３０では、図４の「シリンジポンプ側表示部１０５」に薬剤（麻酔薬）の「実行選択」できない旨の警告を表示する。例えば、「次のステップへ進めません。」「実行選択できる薬剤がありません。」等の表示を行い、次に「取り消しますか？」等の表示を行う。
したがって、下段装着部２０１ｃでも上段装着部２０１ａと同様に、シリンジポンプ１００ｃ等の不動作等の発生を未然に防ぎ、麻酔薬の投与の誤り等の発生を未然に防止することができる構成となっている。
【００６７】
一方、ＳＴ２９で、「存在する」ときは、ＳＴ３１へ進む。ＳＴ３１では、図５の「シリンジポンプ側基本情報記憶部１２１」の対応薬剤の「選択薬剤」と、「実行モデル」の「実行選択」にフラグを立てる。
例えば、「シリンジポンプ側取得薬剤情報等記憶部１２２」の薬剤「ロクロニウム」及び実行モデル「ロクロニウム実行モデル」が存在するときは、薬剤「ロクロニウム」を「選択薬剤」とし、実行モデル「ロクロニウム実行モデル」を「実行選択」として登録する。
【００６８】
したがって、これにより、下段装着部２０１ｃに装着された「シリンジポンプ１００ｃ等」の「薬剤」と「実行モデル」は、例えば、「ロクロニウム」と「ロクロニウム実行モデル」であることが明確に記憶される。
【００６９】
ＳＴ２９で、「存在する」と判断されたときは、ラック装置２００に装着されているシリンジポンプ１００ａ等は、全て適切に装着され、実行モデルのデータも有しているので、次いで、各シリンジポンプ１００ａ等が、それぞれに実行モデルを計算するに必要な情報取得処理等を行う。
【００７０】
具体的には、ＳＴ３２へ進む。ＳＴ３２では、ラック装置２００が上段装着部２０１ａ、中段装着部２０１ｂ及び下段装着部２０１ｃのシリンジポンプ１００ａ等の図５の「シリンジポンプ側基本情報記憶部１２１」から「患者情報」を取得して、図８の「ラック側患者情報記憶部２２３」に記憶させる。
【００７１】
次いで、ＳＴ３３へ進む。ＳＴ３３では、ラック装置２００の図８の「患者生体情報取得部（プログラム）２２４」が動作し、「病院管理サーバ３００」の「電子カルテ３０５」にアクセスして、図８の「ラック側患者情報記憶部２２３」の「患者情報」（例えば、患者番号）に基づき、当該患者の「性別、年齢、体重、身長」等の生体情報を取得して、図８の「ラック側患者生体情報記憶部２２５」に記憶する。
【００７２】
次いで、ＳＴ３４へ進む。ＳＴ３４では、ラック装置２００の図８の「モデル実行データ提供部（プログラム）２２６」が動作し、図８の「ラック側患者生体情報記憶部２２５」の当該患者の「性別、年齢、体重、身長」等の生体情報を各段のシリンジポンプ１００ａ等に送信する。
【００７３】
次いで、ＳＴ３５へ進む。ＳＴ３５では、ラック装置２００から受信した「患者の生体情報」を図６のシリンジポンプ１００ａ等の「シリンジポンプ側患者生体情報記憶部１３１」に記憶する。
【００７４】
次いで、看護師等が、ラック装置２００に装着されているシリンジポンプ１００ａ等の全てに、指定の薬剤を収容しているシリンジ１０８を装着する。
次いで、ＳＴ３６に進む。ＳＴ３６では、シリンジポンプ１００ａ等の図６の「シリンジ装着確認部（プログラム）１３２」が動作し、シリンジ１０８がシリンジポンプ１００ａ等に装着されたか否かを確認する。
【００７５】
装着されたことが確認されると、ＳＴ３７へ進む。ＳＴ３７では、シリンジポンプ側表示部１０５に「薬剤名」及び「実行モデル名」が表示される。
次いで、ＳＴ３８へ進む。ＳＴ３８では、図６の「確認入力判断部（プログラム）１３３」が動作して、シリンジポンプ１００ａ等の操作パネル部１０６から「確認」入力があったか否かを判断する。
【００７６】
したがって、本実施の形態では、シリンジポンプ１００ａ等に、当該シリンジポンプ１００ａ等が投与する薬剤及び実行モデルのデータを記憶させているだけでなく、更に、表示し、看護師等に確認させることで、間違い等の発生を未然に防ぐ構成となっている。
【００７７】
ＳＴ３８で、確認されると、ＳＴ３９へ進む。ＳＴ３９ではシリンジポンプ１００ａ等の図６の「モデル実行部（プログラム）１３４」が動作し、図６の「シリンジポンプ側患者生体情報記憶部１３１」、図５の「モデル実行プログラム記憶部１２４」及び「シリンジポンプ側基本情報記憶部１２１」の「フラグ」を参照し、患者の生体情報を用いて、フラグが立っている当該モデル実行プログラム、例えば、Ｍａｒｓｈモデル実行プログラム等を実行する。
具体的には、モデル実行プログラム記憶部１２４に記憶されている、例えば、Ｍａｒｓｈモデルの計算式と患者の生体情報等から、薬剤の投与量等のシミュレーションを導くことになる。
【００７８】
図１９は、かかるシミュレーションに基づき薬剤が送液されている状態を示すグラフである。
図１９（ａ）は、送液開始直後の状態であり、（ｂ）は、特定の効果部位濃度ｄ１が目標に達した状態を示し、（ｃ）は、特定の効果部位濃度ｄ１が、目標濃度に達した後の状態を示す。
このように、特定のモデルに基づくシミュレーションに基づいて計算される薬剤の血中濃度ｄ０の予測線及び効果部位濃度ｄ１の予測線をシリンジポンプ側表示部１０５に表示させることができると共に、そのシミュレーションに沿った効果を発揮させることができる。
【００７９】
このように本実施の形態では、病院管理サーバ３００からラック装置２００を介して各シリンジポンプ１００ａ等へ実行すべき「実行モデル」を限定するデータを送信する。このため、各シリンジポンプ１００ａ等は、間違えることなく正確に薬剤を患者Ｐに投与することができる。
特に、麻酔薬等のように、投与間違い等が重篤な結果を招来する場合は、本実施の形態では、かかる結果の発生を確実に防止することができる。
【００８０】
また、本実施の形態では、患者の生体情報を看護師等が入力することなく、ラック装置２００が病院管理サーバ３００から取得して、シリンジポンプ１００ａ等へ提供し、シリンジポンプ１００ａ等が実行モデルのシミュレーションの計算をする。したがって、看護師等の労力を軽減させることができると共に、生体情報の入力ミス等を未然に防止することができる。
【００８１】
次いで、図１０の病院管理サーバ３００の「ラック装着薬剤情報記憶部３０７」の「薬剤」や「実行モデル」の登録を変更する場合について、図１７及び図１８のフローチャートを用いて説明する。
先ず、図１７のＳＴ５０では、サーバ側表示装置３０３が表示する「メニュー」画面から図１０の「ラック装着薬剤記憶部３０７」の「上段装着部」「中段装着部」「下段装着部」「薬剤」と「実行モデル」の変更画面を表示させる。
【００８２】
次いで、ＳＴ５１で、病院管理サーバ３００は、変更要求が入力されたか否かを判断し、入力されたときは、ＳＴ５２で、サーバ側表示装置３０３が「職員ＩＤ番号」及び「パスワード」の入力画面を表示する。
次いで、ＳＴ５３で、入力されたときは、ＳＴ５４で、入力された「職員ＩＤ番号」及び「パスワード」を図９の「入力職員情報記憶部３０８」に記憶させる。
【００８３】
次いで、ＳＴ５５へ進む。ＳＴ５５では、図９の「職員情報確認部（プログラム）３０９」が動作して、図９の「入力職員情報記憶部３０８」と「病院管理サーバ３００」の図９の「職員データベース３０６」を参照し、当該「職員ＩＤ番号」と「パスワード」の適否を判断する。
ＳＴ５６で、正しいと判断したときは、ＳＴ５７へ進む。ＳＴ５７では、当該「職員ＩＤ番号」の所属が「麻酔科医」等の「薬剤」や「実行モデル」を変更する権限を有する所属に該当するか否か判断し、ＳＴ５８で、該当すると判断したときは、ＳＴ５９へ進む。
【００８４】
ＳＴ５９では、サーバ側表示装置３０３に、上段装着部２０１ａ、中段装着部２０１ｂ、下段装着部２０１ｃの「薬剤」や「実行モデル」変更画面を表示する。
次いで、ＳＴ６０へ進み、変更処理が終了したときは、本工程を終了する。
【００８５】
このように、本実施の形態では、権限ある麻酔科医等に限り、病院管理サーバ３００の「薬剤」や「実行モデル」の登録を変更することができるので、極めて、安全性が高いシステムとなっている。
【００８６】
ところで、本発明は、上述の実施の形態に限定されない。本実施の形態では、ラック装置２００の上段装着部２０１ａ、中段装着部２０１ｂ、下段装着部２０１ｃの全ての送液ポンプ装着部を使用する構成としたが、本発明は全ての送液ポンプ装着部を使用することに限定されるものではない。また、本実施の形態では、ラック装置２００の上段装着部２０１ａ、中段装着部２０１ｂ、下段装着部２０１ｃに装着されるシリンジポンプ１００ａ等が使用可能な薬剤及び実行モデルの情報を「病院管理サーバ３００」が管理する構成としたが、本発明はこれに限らず、例えば、ラック装置２００が係る情報を管理しても構わない。
【符号の説明】
【００８７】
１・・・医療用ポンプシステム、１００ａ、１００ｂ、１００ｃ・・・シリンジポンプ、１０１・・・ラック接続用端子、１０２・・・シリンジ押子、１０３・・・チューブ、１０４・・・留置針、１０５・・・シリンジポンプ側表示部、１０６・・・操作パネル部、１０６ａ・・・電源ＯＮ／ＯＦＦボタン、１０６ｂ・・・動作インジケータ、１０６ｃ・・・早送りスイッチボタン、１０６ｄ・・・開始スイッチボタン、１０６ｅ・・・停止スイッチボタン、１０６ｆ・・・メニュー選択ボタン、１０８・・・シリンジ，１１０・・・シリンジポンプ制御部、１２０・・・第１のシリンジポンプ側各種情報記憶部、１２１・・・シリンジポンプ側基本情報記憶部、１２２・・・シリンジポンプ側取得薬剤情報等記憶部，１２３・・・対応薬剤等判断部（プログラム）、１２４・・・モデル実行プログラム記憶部、１３０・・・第２のシリンジポンプ側各種情報記憶部、１３１・・・シリンジポンプ側患者生体情報記憶部、１３２・・・シリンジ装着確認部（プログラム）、１３３・・・確認入力判断部（プログラム）、１３４・・・モデル実行部（プログラム）、２００・・・ラック装置、２０１ａ・・・上段装着部、２０１ｂ・・・中段装着部、２０１ｃ・・・下段装着部、２０２・・・通信ボックス、２０３・・・ラック側通信装置、２０３ａ・・・上部装着部用端子、２０３ｂ・・・中部装着用端子、２０３ｃ・・・下部装着用端子、２０４・・・ラック側通信装置、２０５・・・ラック側表示部、２０６・・・ラック側各種情報入力部、２１０・・・ラック制御部、２２０・・・ラック側各種情報記憶部、２２１・・・ポンプ装着部分判断部（プログラム）、２２２・・・ラック側薬剤等特定部（プログラム）、２２３・・・ラック側患者情報記憶部、２２４・・・患者生体情報取得部（プログラム）、２２５・・・ラック側患者生体情報記憶部、２２６・・・モデル実行データ提供部、３００・・・病院管理サーバ、３０１・・・サーバ制御部、３０２・・・サーバ側通信装置、３０３・・・サーバ側表示装置、３０４・・・サーバ側各種情報入力装置、３０５・・・電子カルテデータベース、３０６・・・職員データベース、３０７・・・ラック装着薬剤記憶部、３０８・・・入力職員情報記憶部、３０９・・・職員情報確認部（プログラム）、Ｐ・・・患者
【図１】
2016157655.tif 000003
【図２】
2016157655.tif 000004
【図３】
2016157655.tif 000005
【図４】
2016157655.tif 000006
【図５】
2016157655.tif 000007
【図６】
2016157655.tif 000008
【図７】
2016157655.tif 000009
【図８】
2016157655.tif 000010
【図９】
2016157655.tif 000011
【図１０】
2016157655.tif 000012
【図１１】
2016157655.tif 000013
【図１２】
2016157655.tif 000014
【図１３】
2016157655.tif 000015
【図１４】
2016157655.tif 000016
【図１５】
2016157655.tif 000017
【図１６】
2016157655.tif 000018
【図１７】
2016157655.tif 000019
【図１８】
2016157655.tif 000020
【図１９】
2016157655.tif 000021
【国際調査報告】
2016157655.tif 000022
2016157655.tif 000023